(57)【要約】【課題】筐体内のスペース効率の向上が可能な電子機器およびその筐体を提供する。【解決手段】表示部筐体１１と、表示部筐体１１の外面１３および内面１４を被覆する一の絶縁性フィルム２１と、少なくとも表示部筐体１１の外面１３の一部を被覆した絶縁性フィルム２１に形成された加飾層と、少なくとも表示部筐体１１の内面１４を被覆した絶縁性フィルム２１に形成されたアンテナユニット２０とを備えた。【選択図】  図６
2010057094.tif 000002
【特許請求の範囲】
【請求項１】
外面と、この外面と反対側の内面とを有した筐体と、
前記筐体の前記外面および前記内面を被覆する一の絶縁性フィルムと、
少なくとも前記外面の一部を被覆した前記絶縁性フィルムに形成された加飾層と、
少なくとも前記内面を被覆した前記絶縁性フィルムに形成されたアンテナユニットとを備えたことを特徴とする電子機器。
【請求項２】
表示パネルを備えた表示部をさらに備え、
前記筐体は前記表示パネルを収納する表示部筐体である請求項１記載の電子機器。
【請求項３】
前記表示部と回動可能に連結された本体と、
前記本体に備えられた本体筐体と、
前記本体筐体に収納され、前記アンテナユニットと給電線を介して接続された無線駆動部とをさらに備えた請求項２記載の電子機器。
【請求項４】
前記アンテナユニットは、電波共振部と、前記電波共振部と接続されたグランド部と、前記電波共振部から伸びたアンテナパターンと、前記アンテナパターンの終端に設けられた給電線接点部とを備えた請求項３記載の電子機器。
【請求項５】
前記給電線接点部は、前記表示部の固定端側近傍に設けられた請求項４記載の電子機器。
【請求項６】
前記電波共振部は、前記表示部における前記グランド部および前記表示パネルよりも自由端側に配置された請求項５記載の電子機器。
【請求項７】
前記絶縁性フィルムは、前記電波共振部を前記表示部筐体の前記外面と前記内面との境界をまたがせて前記表示部筐体を被覆し、かつ前記グランド部を前記外面に位置させて前記表示部筐体を被覆した請求項６記載の電子機器。
【請求項８】
前記絶縁性フィルムは、全領域に加飾層が形成された請求項７記載の電子機器。
【請求項９】
前記表示部筐体は、樹脂材料からなる請求項８記載の電子機器。
【請求項１０】
前記表示部筐体の前記外面を被覆して加飾を施す前記絶縁性フィルムの一部領域は、前記表示部筐体の成形時に一体成形されて固定され、
前記アンテナユニットが形成された前記絶縁性フィルムの一部領域は、前記表示部筐体の成形後に接着された請求項９記載の電子機器。
【請求項１１】
アンテナユニットを内蔵する電子機器の筐体であって、外面と、この外面と反対側の内面とを有した筐体において、
前記外面および前記内面を被覆する一の絶縁性フィルムと、
少なくとも前記外面の一部を被覆した前記絶縁性フィルムに形成された加飾層と、
少なくとも前記内面を被覆した前記絶縁性フィルムに形成されたアンテナユニットとを備えたことを特徴とする電子機器の筐体。
【請求項１２】
前記筐体は、表示パネルを収納した表示部筐体である請求項１１記載の電子機器の筐体。
【発明の詳細な説明】
【技術分野】
【０００１】
本発明は、アンテナを備えた電子機器およびその筐体に係り、特にアンテナを筐体に内蔵した電子機器およびその筐体に関する。
【背景技術】
【０００２】
ノート型パーソナルコンピュータをはじめとする電子機器には、一または複数の無線通信機能が搭載されることが一般的となっている。このような電子機器には、電波の送受信を行うアンテナが設けられる。アンテナは、デザインや安全上の観点から本体外部に突出するよりも筐体に内蔵されることが望ましい。
【０００３】
従来、外装筐体とアンテナを複合化したアンテナ付き外装筐体が知られている（例えば、特許文献１参照）。このアンテナ付き外装筐体は、外装筐体本体を構成する樹脂成形品の外側表面が装飾フィルムで被覆されている。また、装飾フィルムと別部材で構成されたフィルム基材に、導電層からなる平面アンテナが形成されたフィルム基材が樹脂成形品と装飾フィルムとの間に狭持されることにより、実用性の高いアンテナ付き外装筐体を構成するものである。
【特許文献１】特開２００７−２２１６１０号公報
【発明の開示】
【発明が解決しようとする課題】
【０００４】
今日のノート型パーソナルコンピュータなどの電子機器は、小型化、薄型化、表示パネルの大型化などの種々の要因から、アンテナを実装するスペースの確保が難しくなってきているという現状がある。このため、小型化などの要求を満たすための構造設計が重要である。
【０００５】
特許文献１に開示されたアンテナ付き外装筐体は、アンテナ内蔵に伴う筐体内のスペース効率や、製造時における効率化までは考慮されていなかった。
【０００６】
本発明はこのような事情を考慮してなされたもので、筐体内のスペース効率の向上が可能な電子機器およびその筐体を提供することを目的とする。
【課題を解決するための手段】
【０００７】
本発明に係る電子機器は、上述した課題を解決するために、外面と、この外面と反対側の内面とを有した筐体と、前記筐体の前記外面および前記内面を被覆する一の絶縁性フィルムと、少なくとも前記外面の一部を被覆した前記絶縁性フィルムに形成された加飾層と、少なくとも前記内面を被覆した前記絶縁性フィルムに形成されたアンテナユニットとを備えたことを特徴とする。
【０００８】
本発明に係る電子機器の筐体は、上述した課題を解決するために、外面および内面を被覆する一の絶縁性フィルムと、少なくとも前記外面の一部を被覆した前記絶縁性フィルムに形成された加飾層と、少なくとも前記内面を被覆した前記絶縁性フィルムに形成されたアンテナユニットとを備えたことを特徴とする。
【発明の効果】
【０００９】
本発明に係る電子機器およびその筐体においては、筐体内のスペース効率の向上が可能である。
【発明を実施するための最良の形態】
【００１０】
本発明に係る電子機器の実施形態について、添付図面を参照して説明する。
【００１１】
図１は、本発明に係る電子機器の一例であるノート型のパーソナルコンピュータが開いた状態である場合の外観斜視図である。図２は、図１に示すパーソナルコンピュータが閉じた状態である場合の外観斜視図である。
【００１２】
このパーソナルコンピュータ１は、本体２に表示部３がヒンジ部４を介して開閉（回動）可能に接続されている。本体２の上面にはキーボード５とポインティングデバイスであるタッチパッド６およびボタン７が設けられている。表示部３内部には、例えばＬＣＤ（Ｌｉｑｕｉｄ  Ｃｒｙｓｔａｌ  Ｄｉｓｐｌａｙ）などからなる表示パネル８を有する。
【００１３】
本体２は、非導電性の樹脂製の本体筐体９を有している。本体筐体９内部には、無線通信機能を実現する無線駆動部（図５参照）などの電子部品が実装される。本実施形態においては、無線駆動部以外の電子部品についての説明は省略する。表示部３は、本体２と同様に樹脂製の表示部筐体１１を有する。表示部筐体１１は表示パネル８を収納して露出させるための露出開口部１２を有する。
【００１４】
図２に示すように、パーソナルコンピュータ１が閉じた状態で表示部３の上面を構成する表示部筐体１１の表示部筐体外面１３は、その表面の少なくとも一部に所望の模様、色彩などの加飾（図示せず）が施される。また、表示部筐体外面１３の自由端側１５から表示部筐体内面１４の固定端側１６にかけて、アンテナユニット２０が配置される。なお、表示部筐体内面１４は、表示部筐体外面１３と対向する面であって、図１および図２において露出しない面である。
【００１５】
表示部筐体外面１３の加飾およびアンテナユニット２０は、一の絶縁性フィルム２１に形成されている。
【００１６】
図３は、本実施形態におけるノート型パーソナルコンピュータの表示部筐体を被覆する絶縁性フィルムが展開した状態を示す図である。図４は、図３に示す絶縁性フィルムが表示部筐体に固定された場合の折り曲げられた状態を示す図である。
【００１７】
絶縁性フィルム２１は、表示部筐体１１の表示部筐体外面１３と表示部筐体内面１４より小さい表面積を有する一枚のフィルムである。絶縁性フィルム２１の材質としては、例えばポリカーボネート系、ポリアミド系、ポリエーテルケトン系のエンジニアリングプラスチック、アクリル系、ポリエチレンテレフタレート系、ポリブチレンテレフタレート系などの樹脂フィルムなどを用いることができる。
【００１８】
絶縁性フィルム２１は、多層構造を有しており、表示部筐体外面１３を加飾する所望の模様、色彩などが印刷された加飾層が含まれる。加飾層は、絶縁性フィルム２１の表示部筐体外面１３を被覆する所定位置に少なくとも設けられていればよい。ただし、製造上の容易性から、表示部筐体外面１３を被覆する領域のみならず、表示部筐体内面１４を被覆する領域も含めた全領域に加飾層が形成された絶縁性フィルム２１を用いることが好ましい。
【００１９】
絶縁性フィルム２１の加飾層は、着色インキ層である場合には、ウレタン樹脂、ポリカーボネート樹脂、ビニル樹脂、ポリエステル樹脂など、特にウレタン系樹脂、さらにはそのエラストマをバインダとして適切な色彩の顔料または染料を着色剤として含有する着色インキを用いるとよい。着色インキ層の形成方法としては、オフセット印刷法、グラビア印刷法、スクリーン印刷法などの印刷法や、グラビアコート法、ロールコート法、コンマコート法などのコート法を採用することができる。
【００２０】
絶縁性フィルム２１に形成されたアンテナユニット２０には、電波共振部２２ａ、２２ｂ、グランド部２３ａ、２３ｂ、アンテナパターン２４ａ、２４ｂおよび給電線接点部２５が形成される。なお、同一無線通信方式を利用するために設けられたアンテナユニット２０の各部には、同一の符号を付して説明する。
【００２１】
アンテナユニット２０は、一または複数の無線通信方式を利用した無線通信を実現するために設けられる。本実施形態においては、図３に示すように２種類の無線通信方式を利用するためのアンテナユニット２０が設けられた例を説明する。採用される無線通信方式は、一例として無線ＬＡＮ用のＩＥＥＥ８０２．１１ａ方式やＩＥＥＥ８０２．１１ｂ方式、Ｂｌｕｅｔｏｏｔｈ（登録商標）方式、第３世代（３Ｇ）方式などが該当する。なお、搭載されるアンテナユニット２０は２種類の無線通信方式に適用されるもののみならず、１種であっても、２種以上であってもよい。
【００２２】
電波共振部２２ａ、２２ｂは、採用される無線通信方式に応じた所定の波長を有する電波の送受信が行えるように、その形状や寸法が決定される。また、電波共振部２２ａ、２２ｂには送受信を行う波長に対応した大きさのグランド面積を有するグランド部２３ａ、２３ｂが接続される。
【００２３】
電波共振部２２ａ、２２ｂからは、絶縁性フィルム２１の長手方向に沿ってアンテナパターン２４ａ、２４ｂが伸びている。アンテナパターン２４ａ、２４ｂは、利用される無線通信方式の波長に応じてその長さなどが決定される。
【００２４】
給電線接点部２５は、各アンテナパターン２４ａ、２４ｂの終端位置である絶縁性シート２１の一の短辺方向に沿って設けられる。給電線接点部２５は、後述する給電線を介して本体筐体９に収納された無線駆動部と接続される。
【００２５】
図４に示すように、電波共振部２２ａ、２２ｂは絶縁性フィルム２１が表示部筐体１１に固定された場合に折り曲げられる位置２６である表示部筐体外面１３と表示部筐体内面１４との境界をまたぐ位置におおむね配置され、表示部筐体１１に固定される際に折り曲げられると折り重なるようになっている。またこのとき、電波共振部２２ａ、２２ｂは、グランド部２３ａ、２３ｂと重ならないようになっている。
【００２６】
アンテナユニット２０の各部は、アンテナ機能をもたせられる導電性物質からなるものであれば特に制限はない。導電性を有する素材には、例えば金属であれば金、白金、銀、銅、アルミニウム、ニッケル、亜鉛、鉛などがある。また、導電性高分子などの導電性を有する高分子化合物も適用可能である。これら導電性物質からなるアンテナユニット２０は、印刷、メッキ、ラミネート、スパッタリング、蒸着などの各種方法が利用されて絶縁性フィルム２１の所定位置に形成される。
【００２７】
次に、パーソナルコンピュータ１に絶縁性フィルム２１が固定された場合の各部の構成について説明する。
【００２８】
図５は、本実施形態におけるノート型パーソナルコンピュータに絶縁性フィルムが固定された場合の概略的な正面図である。図５では、表示パネル８は点線で表示されており、絶縁性フィルム２１により被覆された表示部筐体内面１４が露出した状態を示す。図６は、図５のノート型パーソナルコンピュータのVＩ−VＩ間の断面図である。
【００２９】
パーソナルコンピュータ１の表示部筐体１１には、絶縁性フィルム２１が被覆される。絶縁性フィルム２１は、表示部筐体外面１３の外面を被覆することにより、表示部筐体外面１３に所望の加飾を施す。表示部筐体外面１３を被覆する絶縁性フィルム２１は、表示部筐体１１の成形時に一体成形されることにより、表示部筐体外面１３に固定されて加飾を施す。具体的には、加飾層が設けられた絶縁性フィルム２１をインサートフィルムとして用いて、成形用金型内でインサート成形することにより、絶縁性フィルム２１と一体成形された表示部筐体１１が製造される。
【００３０】
このとき、絶縁性フィルム２１は、アンテナユニット２０が形成されて表示部筐体内面１４などを被覆するための領域であって、折り返して表示部筐体１１に固定されるはみだし部分が設けられるようになっている。アンテナユニット２０が形成された絶縁性フィルム２１のはみだし部分は、表示部筐体外面１３に固定された領域との境界から表示部筐体内面１４に巻き込むように固定される。このはみだし部分は、接着剤による接着などにより表示部筐体１１に固定される。
【００３１】
図６において、電波共振部２２ａは矢印で示す領域で図示されている。また、グランド部２３ａについても同様に、矢印で示す領域で図示されている。図６において、アンテナユニット２０の電波共振部２２ａ（２２ｂ）が形成された絶縁性フィルム２１の部位は、表示部筐体外面１３と表示部筐体内面１４との境界１７をまたがるように電波共振部２２ａ（２２ｂ）を配置する。かつ、グランド部２３ａ（２３ｂ）が形成された絶縁性フィルム２１の部位は、表示部筐体外面１３に配置された電波共振部２２ａ（２２ｂ）の一側辺から、表示部３の固定端側１６方向に向かって伸びるようにグランド部２３ａ（２３ｂ）を配置する。また、電波共振部２２ａは表示部筐体１１に収納された表示パネル８よりも、表示部３の自由端側１５に配置される。すなわち、電波共振部２２ａ、２２ｂは、グランド部２３ａ、２３ｂおよび表示パネル８よりも表示部３の自由端側１５に配置されることにより、導体の影響を受けて放射特性が劣化することを少なくすることができる。
【００３２】
また、アンテナパターン２４ａ、２４ｂの終端部２９に形成された給電線接点部２５は、表示部３の固定端側１６近傍に設けられるようになっている。このため、本体筐体９に収納された無線駆動部３０ａ、３０ｂと給電線接点部２５とを接続する給電線２８ａ、２８ｂは、表示部３の固定端側１６からヒンジ部４を通過して無線駆動部３０ａ、３０ｂまで伸びれば足り、例えば表示部３の自由端側１５から同軸ケーブルなどを延ばしてくる場合に比べてこの同軸ケーブルの配置スペースを削減することができる。
【００３３】
無線駆動部３０ａ、３０ｂは、システム基板３１上に配置されており、受信時にはアンテナユニット２０で受信された電波が給電線２８ａ、２８ｂを介して供給され、送信時には無線駆動部３０ａ、３０ｂより給電線２８ａ、２８ｂを介して電波がアンテナユニット２０に供給される。また、無線駆動部３０ａ、３０ｂは、接続点３２ａ、３２ｂにおいて給電線２８ａ、２８ｂと接続される。
【００３４】
このパーソナルコンピュータ１によれば、表示部筐体１１に加飾を施す絶縁性フィルムにはみだし部分を設け、このはみだし部分にアンテナユニット２０を形成することにより、部品点数を削減することができる。特に、複数の無線通信方式を利用するためのアンテナユニットが配置される場合には、大幅に部品点数を削減できる点で有効である。
【００３５】
また、アンテナユニット２０の電波共振部２２ａ、２２ｂを表示部３の自由端側１５に配置する場合であっても、アンテナパターン２４ａ、２４ｂを固定端側１６まで伸ばして給電線接点部２５を設けることにより、表示部３の固定端側１６で無線駆動部３０ａ、３０ｂと接続可能である。このため、アンテナユニット２０と無線駆動部３０ａ、３０ｂとを接続するために表示部３の自由端側１５まで配線を伸ばす必要がないため、スペース効率を向上させることができる。
【００３６】
さらに、アンテナユニット２０の各部を、周囲の導電性物質による放射特性の劣化を考慮して配置することにより、アンテナユニット２０としての性能を維持することができる。
【００３７】
さらにまた、一の薄肉の絶縁性フィルム２１に印刷などによりアンテナユニット２０を形成することができるため、表示部筐体１１の小型化・薄型化も実現することができる。
【００３８】
本発明に係る電子機器は、上記説明したノートブック型のパーソナルコンピュータのほかにも、様々な電子機器に適用可能であり、デスクトップ型コンピュータやワードプロセッサ、ゲーム機器、音響機器などの無線通信機能を備えた他の電子機器に適用することが可能である。
【００３９】
また、本実施形態において説明した絶縁性フィルム２１の固定方法、表示部筐体１１の成形方法、アンテナユニット２０の構成や、形成方法については一例であって、本実施形態において説明した効果を奏することができれば、他の構成や方法を用いてもかまわない。
【００４０】
さらに、表示部筐体１１は樹脂材料からなる例を説明したが、所要の表面絶縁処理を行えば、マグネシウムなどの金属筐体を用いることも可能である。
【図面の簡単な説明】
【００４１】
【図１】本発明に係る電子機器の一例であるノート型のパーソナルコンピュータが開いた状態である場合の外観斜視図。
【図２】図１に示すパーソナルコンピュータが閉じた状態である場合の外観斜視図。
【図３】本実施形態におけるノート型パーソナルコンピュータの表示部筐体を被覆する絶縁性フィルムが展開した状態を示す図。
【図４】図３に示す絶縁性フィルムが表示部筐体に固定された状態を示す図。
【図５】本実施形態におけるノート型パーソナルコンピュータに絶縁性フィルムが固定された場合の概略的な正面図。
【図６】図５のノート型パーソナルコンピュータのVＩ−VＩ間の断面図。
【符号の説明】
【００４２】
１  パーソナルコンピュータ
２  本体
３  表示部
４  ヒンジ部
５  キーボード
６  タッチパッド
７  ボタン
８  表示パネル
９  本体筐体
１１  表示部筐体
１２  露出開口部
１３  表示部筐体外面
１４  表示部筐体内面
２０  アンテナユニット
２１  絶縁性フィルム
２２ａ、２２ｂ  電波共振部
２３ａ、２３ｂ  グランド部
２４ａ、２４ｂ  アンテナパターン
２５  給電線接点部
２８ａ、２８ｂ  給電線
３０ａ、３０ｂ  無線駆動部
３１  システム基板
【図１】
2010057094.tif 000003
【図２】
2010057094.tif 000004
【図３】
2010057094.tif 000005
【図４】
2010057094.tif 000006
【図５】
2010057094.tif 000007
【図６】
2010057094.tif 000008